(57)【要約】  【課題】音声警報装置の分電盤への配設があるなしにかかわらず，分電盤に用いる主開閉器の共通化が行え，電流検出用のＣＴの組込みが容易に行え，組み立て工数及び管理コストの増大を抑えることを可能とした接続バーユニット及び該接続バーユニットを有する分電盤を提供すること。  【解決手段】主開閉器の各極の負荷側端子と分岐開閉器に電力を供給する各極の母線との間を接続する各極の接続バーと，該接続バーを絶縁保持する絶縁カバーとを含んでなる接続バーユニットにおいて，接続バーのうち少なくとも一つの接続バーに電流検出用変流器を備えたことを特徴として分電盤に用いる接続バーユニットを構成した。  【選択図】図１
2005086961.tif 000002
【特許請求の範囲】
【請求項１】
主開閉器の各極の負荷側端子と分岐開閉器に電力を供給する各極の母線との間を接続する各極の接続バーと，該接続バーを絶縁保持する絶縁カバーとを含んでなる接続バーユニットにおいて，接続バーのうち少なくとも一つの接続バーに電流検出用変流器を備えたことを特徴とする分電盤に用いる接続バーユニット。
【請求項２】
主開閉器と，主開閉器の負荷側に接続される請求項１記載の接続バーユニットと，該接続バーユニットに接続される母線と，母線に接続される分岐開閉器とを具備してなることを特徴とする分電盤。
【請求項３】
前記電流検出用変流器は，電路に流れる電流を演算回路により監視し予め設定された監視電流レベルを超えて電流が使用された場合には電気の使い過ぎの警報を発する過電流警報装置に接続されることを特徴とした請求項２記載の分電盤。
【発明の詳細な説明】
【技術分野】
【０００１】
本発明は電流検出手段を有する，分電盤の接続バーユニット，及び，該接続バーユニットを備えた分電盤に関するものである。特に電気の使い過ぎを警報する音声警報装置を設けた分電盤に関する。
【背景技術】
【０００２】
第９図は，電気の使用量を演算回路により常時監視すると共にレベル表示し，予め設定した電流値を超えると使用者に音声で知らせるピーク電流音声警報装置を分電盤に配設した場合の，電流制限器，主幹漏電遮断器（主開閉器），分岐ブレーカ，ピーク電流音声警報装置等の接続図を示したものである（例えば，非特許文献１参照）。ピーク電流音声警報装置（以後，音声警報装置という）の設置にあたっては，電流を検出するための電流検出用変流器（以後，ＣＴという）が必要となる。このＣＴは図９中の点線で示したように，主開閉器内に設けられている。この主開閉器の内部構造を図１０に示している。電路のうち，Ｌ１，Ｌ２相と接続される主開閉器の左右各極にそれぞれ一つずつＣＴを貫入して配設してある（ＣＴからの信号引き出し線は省略してある）。
【０００３】
【非特許文献１】テンパール工業株式会社，１９９９年５月（Ｃ−ＩＩ−Ｅ），高機能住宅用分電盤，Ｐ．１０，接続図
【発明の開示】
【発明が解決しようとする課題】
【０００４】
しかしながら，前記音声警報装置の分電盤内への設置にあたっては，分電盤の分岐ブレーカ配設部への音声警報装置の取り付け，及びＣＴを内蔵した主開閉器の取り付けが必要となって，通常の電流制限器と主開閉器と分岐ブレーカにより構成される標準品に対し，特殊品の扱いとなっていた。
【０００５】
特に，主開閉器においては，通常の主開閉器に対して電流検出用のＣＴを内装する作業が必要である。図２に通常用いる主開閉器の内部構造を示した。分電盤に用いる主開閉器には漏電保護機能を有する開閉器を用いるため，予め零相変流器（ＺＣＴ）が各極の主導体を一括するように貫入されている。これに，Ｌ１相，Ｌ２相の電流検出用のＣＴを装着する必要があるので，Ｌ１相とＬ２相のＣＴの貫入作業，ＣＴを貫入した主導体の配設作業，主導体の端子部への取り付け作業，ＣＴからの信号引出し線の配設作業等，種々の取り付け作業が発生し，主開閉器の組み立てに工数が多くかかるという問題があった。また，一般用とＣＴを内蔵したものの２種類の主開閉器を管理する手間が生じ，管理コストが増大するという問題があった。
【０００６】
本発明は以上のような問題点を解決しようとするものであり，音声警報装置の分電盤への配設があるなしにかかわらず，分電盤に用いる主開閉器の共通化が行え，電流検出用のＣＴの組込みが容易に行え，組み立て工数及び管理コストの増大を抑えることを可能とした接続バーユニット及び該接続バーユニットを有する分電盤を提供することを目的としている。
【課題を解決するための手段】
【０００７】
上記の課題を解決するため，本件発明の請求項１では，主開閉器の各極の負荷側端子と分岐開閉器に電力を供給する各極の母線との間を接続する各極の接続バーと，該接続バーを絶縁保持する絶縁カバーとを含んでなる接続バーユニットにおいて，接続バーのうち少なくとも一つの接続バーに電流検出用変流器を備えたことを特徴として分電盤に用いる接続バーユニットを構成したものである。
【０００８】
請求項２においては，主開閉器と，主開閉器の負荷側に接続される請求項１記載の接続バーユニットと，該接続バーユニットに接続される母線と，母線に接続される分岐開閉器とを具備してなることを特徴として分電盤を提供したものである。
【０００９】
請求項３においては，前記電流検出用変流器は，電路に流れる電流を演算回路により監視し予め設定された監視電流レベルを超えて電流が使用された場合には電気の使い過ぎの警報を発する過電流警報装置に接続されることを特徴として請求項２記載の分電盤を提供したものである。
【発明の効果】
【００１０】
以上の発明によれば，主開閉器の各極の負荷側端子と分岐開閉器に電力を供給する各極の母線とに接続される各極の接続バーと，該接続バーを絶縁保持する絶縁カバーとを含んでなる接続バーユニットにおいて，接続バーのうち少なくとも一つの接続バーに電流検出用変流器を貫入して構成したためにＣＴを内蔵した主開閉器が不要になるので，主開閉器にＣＴを組み込む必要がなくなり，主開閉器を一般用と共通で使用できるので，主開閉器の組み立て工数及び管理コストの増大を抑えることが可能な接続バーユニット及び分電盤を提供することが可能である。
【実施例１】
【００１１】
次に本件発明の実施例を図面を用いて詳細に示す。図１は，本発明の接続バーユニットを具備した分電盤を示している。１は単相三線式の電路に接続される分電盤である。分電盤１には，Ｌ１相，Ｌ２相，Ｎ極の各極電路と接続される３極の主開閉器２と，一端が主開閉器２の負荷側端子各極と接続され，他端が各極の母線と接続される接続バーユニット３と，該接続バーユニット３の各極と接続される，Ｌ１相母線４１，Ｌ２相母線４２，Ｎ極母線４３と，各母線の分岐線５と接続され電力を供給される複数の分岐開閉器６と音声警報装置７とを含んで構成されている。
【００１２】
本実施例で用いている主開閉器２の内部構造図を図２に示している。各極の主導体２２を一括して貫入するように漏電電流を検出する零相変流器２１（ＺＣＴという）を配設しており，漏電電流の検出が行えるようになっている。従来，主開閉器に設けていた電流検出用の変流器（ＣＴ）は内装しておらず一般用と共通のものである。
【００１３】
図３は，接続バーユニット３の平面図を示している。接続バーユニット３は，各相毎の電流の電路となる接続バー３３と，それぞれの接続バーを絶縁保持する絶縁カバー３４と，電流検出用のＣＴ３５とから構成されている。ここで，Ｌ１相用の接続バーを３３１，Ｌ２相用の接続バーを３３２，Ｎ極用の接続バーを３３３とする。
【００１４】
接続バー３３の一端には，主開閉器の各極の負荷側端子に差込装着され，端子ねじで固定される端子接続部３３１ａ，３３２ａ，３３３ａが設けられ，他端には，各極の母線４の接続部にとねじ締め固定される接続部３３１ｂ，３３２ｂ，３３３ｂが設けられている。
【００１５】
次に絶縁カバーについて説明する。図４には接続バーユニットの斜視図を示している。絶縁カバー３４には，各接続バー３３１，３３２，３３３を各々絶縁保持できるよう隔壁４５と，接続バーを嵌め込み装着した場合の抜け止めとなる支持爪４６を各所に設けている。各接続バーを一旦嵌め込み装着した場合には，隔壁４５と，支持爪４６により接続バーが絶縁支持されるとともに抜け止め固定され，さらに，主開閉器の負荷側端子台と，母線４の接続部とのねじ締めにより，接続バーユニット３は位置が固定される。
【００１６】
図５は，接続バーの形状及びＣＴの装着部分を説明するために，接続部から絶縁カバー３４を取り去った平面図を示している。図６は同じく斜視図を示している。また，ＣＴ３５をそれぞれ区別するために，３５１，３５２は各々Ｌ１相用，Ｌ２相用のＣＴとする。接続バーの形状については，まず，Ｌ１相用の接続バー３３１は，接続部３３１ａから主開閉器２の負荷側方向に伸びた後，該方向に対して垂直な方向に折り曲げ加工され（３３１ｃ部），さらに反対の方向に折り返し加工されている（３３１ｄ部）。そして主開閉器の負荷側側面に沿う形で接続バーが伸び（３３１ｅ部），そこから母線接続部へ向けてＬの字型に加工されている（３３１ｆ部）。
【００１７】
次に，Ｌ２相用の接続バー３３２は，接続部３３２から主開閉器２の負荷側方向に伸びた後，該方向に対してＬ１相用の接続バー３３１とは逆の方向に垂直に折り曲げ加工され（３３２ｃ部），さらに反対の方向に折り返し加工されている（３３２ｄ部）。先の３３１ｅ部と並行に接続バーが配設され（３３２ｅ部），母線接続部へ向けてＬの字型に加工されている（３３２ｆ部）。
【００１８】
次に，Ｎ極用の接続バー３３３は，Ｌ１相，Ｌ２相用接続バー３３１，３３２と同様，主開閉器２の負荷側方向に伸びた後，Ｌ１相用接続バー３３１の３３１ｃ部と同方向に折り曲げ加工され（３３３ｃ部），反対の方向に折り返し加工され（３３３ｄ部），先の３３１ｅ部と並行に接続バーが配設され（３３３ｅ部），母線接続部へ向けてＬの字型に加工されている（３３３ｆ部）。３３３ｅ部は，Ｌ２相用接続バーの接続部３３２ａと，Ｌ１相用接続バーの３３１ｅ部との間に位置するように加工されている。
【００１９】
次に，ＣＴ３５１，３５２を貫入装着する部分について説明を行う。各々の接続バーはＣＴを貫入装着できるよう一定の空間距離を保って構成されている。図７にはＣＴの各寸法を示し，図８にはＣＴが貫入装着される部分の拡大図を示している。
【００２０】
ＣＴ３５の外径をφ１，内径をφ２，厚みをｈと定めた場合に，まず，Ｌ１相については図８に示すように，折り曲げ部３３１ｃ部の間隔（３３１ｄと３３１ａの間隔）ｄ１がＣＴ外形の半径（φ１／２）よりも大きくなるよう構成されている。また，Ｌ１相用の接続バー３３１と，Ｎ極用の接続バー３３３との距離ｄ２が，ＣＴの寸法ｄ（  （φ１−φ２）／２  ）よりも大きくなるよう距離を保って配置されている。
【００２１】
Ｌ２相についても，折り曲げ部３３２ｃ部の間隔（３３２ｄと３３２ａの間隔）がＣＴ外形の半径（φ１／２）よりも大きくなるよう構成されている。また，Ｌ２相用の接続バー３３２と，Ｎ極用の接続バー３３３との距離ｄ３が，ＣＴの寸法ｄ（  （φ１−φ２）／２  ）よりも大きくなるよう距離を保って配置されている。
【００２２】
併せて，図５に示すように，各々の接続バー３３１，３３２，３３３の折り返し部３３１ｄ，３３２ｄ，３３３ｄ部の寸法ｄ４が，ＣＴの厚みｈよりも大きくなるよう構成している。
【００２３】
このように，各々の接続バーを構成及び配置することで，ＣＴと接続バーが干渉しないように貫入装着できるようにしている。なお，ＣＴからの信号引き出し線は分岐回路スペースに配設される音声警報装置に接続される。
【００２４】
次に接続バーユニット３にＣＴ３５を装着する順番について説明する。まず，Ｌ２用の接続バー３３２の折り曲げ部３３２ｃにＣＴ３５２を貫入し，絶縁カバー３４の所定位置に接続バーを装着する。次に，Ｎ極用の接続バー３３３を絶縁カバー３４の所定位置に装着する。そして，Ｌ１用接続バー３３１の折り曲げ部３３１ｃにＣＴ３５１を貫入し，絶縁カバー３４の所定位置に接続バーを装着する。以上で組立は完了である。このように，主開閉器２にＣＴを組み込み装着する場合と比較して，はるかに簡単容易に工数の増大を抑えて組立を行うことが可能である。接続バーユニットの部品点数も，絶縁カバー，ＣＴ，接続バーの３種類と少ないため，管理コストの増大も極力抑えることが可能である。
【００２５】
なお，電流検出機能のない分電盤において，施工後に後付で電流検出機能を設ける場合，予め配設されてある接続バーユニットを主開閉器２の負荷側端子ねじと，母線接続部のねじを外して取り去り，ＣＴの内蔵された接続バーユニット３を装着する。接続バーユニット３はＣＴを内蔵していない接続バーユニットと寸法を互換としているため，接続バーユニットごと取り替えることで，後付においても，簡単に分電盤に電流検出機能を提供することができる。取替えの際，主開閉器をＯＦＦにしておけば，一次側導電部と，負荷側端子とは電気的に絶縁されているため，感電事故のおそれがなく，安全に作業を行うことができる。
【００２６】
また，先に述べた手順で，ＣＴを接続バーユニット３に組み込むこともいたって簡単容易に行うことができるため，音声警報装置を施工現場において後付するような場合においても取付けを短時間で行うことができる。
【００２７】
尚，本発明によれば，主開閉器に各相毎の電流検出用ＣＴを内装する必要がないため，側面の投影寸法が電灯分電盤用協約形配線用遮断器（ＪＩＳ  Ｃ８３７０  附属書５参照）と同一の主開閉器を用いて電流警報機能付きの分電盤を構成することが可能である。これにより，ガタースペースの拡大が見込め，電線の配線作業が行いやすくなるという効果も発することを示しておく。
【産業上の利用可能性】
【００２８】
以上述べた実施例は単相三線式の分電盤における例であったが，単相２線式の分電盤においても接続バーユニットと音声警報装置を設けるような応用例が考えられる。また，接続バーユニットごとの取替えが可能であるため，主開閉器と母線との間に接続部を設けているような標準盤や，キュービクル等に付加機能を設ける場合にも利用が考えられる。
【図面の簡単な説明】
【００２９】
【図１】本発明の分電盤の構成図。
【図２】主開閉器の内部構造図。
【図３】接続バーユニットの平面図。
【図４】接続バーユニットの斜視図。
【図５】接続バーユニットから絶縁カバーを取り去った平面図。
【図６】接続バーユニットから絶縁カバーを取り去った斜視図。
【図７】CT外形図。
【図８】CT装着部の拡大図。
【図９】従来の音声警報装置付き分電盤におけるＣＴ配置図。
【図１０】従来の音声警報装置付分電盤に用いられる主開閉器の内部構造図。
【符号の説明】
【００３０】
１  カバー
２  ケースＡ
３  ケースＢ
４  ハンドル
５，６  導電部
７  固定接点
８  固定接触子
９  可動接点
１０  可動接触子
１１  接点装置
１２  開閉機構
１３  引き外し装置
【図１】
2005086961.tif 000003
【図２】
2005086961.tif 000004
【図３】
2005086961.tif 000005
【図４】
2005086961.tif 000006
【図５】
2005086961.tif 000007
【図６】
2005086961.tif 000008
【図７】
2005086961.tif 000009
【図８】
2005086961.tif 000010
【図９】
2005086961.tif 000011
【図１０】
2005086961.tif 000012